(57)【要約】      （修正有）【課題】防水効果に優れた水中メガネを提供する。【解決手段】水中メガネは、リム１０ａと、リムに封止されて設けられたレンズ２０ａと、リムの内側に封止されて設けられた弾性防水リング３０ａと、両端がそれぞれ弾性防水リングに連結されたヘッドバンド４０ａとを含む。弾性防水リングは、リムに連結された第１連結部３１ａと、第１連結部に連結された支持部３２ａと、支持部に連結されて人の左眼窩の外側壁にフィットする左眼窩フィット部３３ａと、支持部に連結されて人の右眼窩の外側壁にフィットする右眼窩フィット部３４ａとを含む。ヘッドバンドは、左側が左眼窩フィット部に連結され、右側が右眼窩フィット部に連結されている。左眼窩フィット部を人の左眼窩にフィットさせ、右眼窩フィット部を人の右眼窩にフィットさせるようにしており、それぞれ人の左眼窩の外側壁、人の右眼窩の外側壁から離脱することがない。【選択図】図２
0003235549.tif 000002
【実用新案登録請求の範囲】
【請求項１】
水中メガネであって、リムと、リムに封止されて設けられたレンズと、リムの内側に封止されて設けられた弾性防水リングと、両端がそれぞれ弾性防水リングに連結されたヘッドバンドとを含み、前記弾性防水リングは、リムに連結された第１連結部と、第１連結部に連結された支持部と、支持部に連結されて人の左眼窩の外側壁にフィットする左眼窩フィット部と、支持部に連結されて人の右眼窩の外側壁にフィットする右眼窩フィット部とを含み、前記ヘッドバンドは、左側が前記左眼窩フィット部に連結され、右側が前記右眼窩フィット部に連結されていることを特徴とする水中メガネ。
【請求項２】
前記左眼窩フィット部に第１補強リブが設けられ、及び／又は、前記右眼窩フィット部に第２補強リブが設けられていることを特徴とする請求項１に記載の水中メガネ。
【請求項３】
前記第１補強リブは、ヘッドバンドの左側との連結箇所に沿って前記第１連結部に延びる第１補強リブＡ、前記左眼窩フィット部の外周の上側に沿って設けられた第１補強リブＢ、又は、前記左眼窩フィット部の外周の下側に沿って設けられた第１補強リブＣの少なくとも１つを含むことを特徴とする請求項２に記載の水中メガネ。
【請求項４】
前記第２補強リブは、ヘッドバンドの右側との連結箇所に沿って前記第１連結部に延びる第２補強リブＡ、前記右眼窩フィット部の外周の上側に沿って設けられた第２補強リブＢ、又は、前記右眼窩フィット部の外周の下側に沿って設けられた第２補強リブＣの少なくとも１つを含むことを特徴とする請求項２に記載の水中メガネ。
【請求項５】
前記第２補強リブは、ヘッドバンドの右側との連結箇所に沿って前記第１連結部に延びる第２補強リブＡ、前記右眼窩フィット部の外周の上側に沿って設けられた第２補強リブＢ、又は、前記右眼窩フィット部の外周の下側に沿って設けられた第２補強リブＣの少なくとも１つを含むことを特徴とする請求項３に記載の水中メガネ。
【請求項６】
前記左眼窩フィット部の外壁に左連結具が設けられ、前記右眼窩フィット部の外壁に右連結具が設けられ、前記ヘッドバンドは、左側が左連結具に固定されて連結され、右側が右連結具に固定されて連結され、
又は、前記ヘッドバンドは、左側が左眼窩フィット部に粘着され、右側が右眼窩フィット部に粘着され、
又は、前記ヘッドバンドは、左側が左眼窩フィット部とは一体式構造であり、右側が右眼窩フィット部とは一体式構造であることを特徴とする請求項１〜５のいずれか一項に記載の水中メガネ。
【請求項７】
前記ヘッドバンドは、左側端部が前記左眼窩フィット部の外周の左側に滑らかに連結され、右側端部が前記右眼窩フィット部の外周の右側に滑らかに連結され、
又は、前記ヘッドバンドは、左側が前記左眼窩フィット部の外壁に連結され、右側が前記右眼窩フィット部の外壁に連結されていることを特徴とする請求項１〜５のいずれか一項に記載の水中メガネ。
【請求項８】
前記ヘッドバンドは、左側が前記左眼窩フィット部の外壁に密着し、右側が前記右眼窩フィット部の外壁に密着し、
又は、前記ヘッドバンドは、左側端部が前記左眼窩フィット部の外壁に連結され、右側端部が前記右眼窩フィット部の外壁に密着していることを特徴とする請求項７に記載の水中メガネ。
【請求項９】
前記レンズとリムとは、一体式構造であり、又は、前記レンズは、前記リムに封止されて係止されていることを特徴とする請求項１〜５のいずれか一項に記載の水中メガネ。
【請求項１０】
前記リムは、一体式構造であり、
前記第１連結部、支持部、左眼窩フィット部及び右眼窩フィット部は、一体式構造であり、
又は、
前記リムは、左リムと、第２連結部を介して左リムに連結された右リムとを含む分離式構造であり、
前記第１連結部は、左リムに連結された左第１連結部と、右リムに連結された右第１連結部とを含み、
前記支持部は、左第１連結部と左眼窩フィット部とを連結する左支持部と、右第１連結部と右眼窩フィット部とを連結する右支持部とを含み、
前記左眼窩フィット部、左第１連結部及び左支持部は、一体式構造であり、
前記右眼窩フィット部、右第１連結部及び右支持部は、一体式構造であることを特徴とする請求項１〜５のいずれか一項に記載の水中メガネ。
【考案の詳細な説明】
【技術分野】
【０００１】
本願は、出願番号が２０１９１０００７４５９．７、出願日が２０１９年１月４日の中国特許出願を基礎としてその優先権を主張し、その出願の内容のすべては、参照により本願に組み込まれる。
【０００２】
本願は、水中メガネに係り、特に防水効果に優れた水中メガネに係る。
【背景技術】
【０００３】
水泳用メガネや潜水用メガネなどの水中メガネは、水面下の様子を観察するために用いられる。利用者が水中メガネを装着する際の快適さを向上させると同時に、水漏れを防止するために、水中メガネのリムの内側に弾性防水リングを設けることが多い。通常、弾性防水リングは、人の左眼窩の外側壁にフィットする左眼窩フィット部と、人の右眼窩の外側壁にフィットする右眼窩フィット部とを含む。利用時に、水中メガネの内部に水が入り込んで目に影響を与えることを防止するために、左眼窩フィット部が人の左眼窩の外側壁に密着し、右眼窩フィット部が人の右眼窩の外側壁に密着することを保証しなければならない。
【０００４】
従来構成の水中メガネは、装着直後に、左／右眼窩フィット部がそれぞれ人の左／右眼窩の外側壁に密着することができる。利用者が水泳や潜水をしている間に、左／右眼窩フィット部の外周がそれぞれ人の左／右眼窩の外側壁から離脱しやすく（即ち左／右眼窩フィット部の外周が外側へめくれる）、それに続いて左／右眼窩フィット部全体が人の左／右眼窩の外側壁から離脱することで、水中メガネの内部に水が入り込んで利用者の目に大きな不便を与えることになる。
【考案の概要】
【考案が解決しようとする課題】
【０００５】
上記の従来技術の不備を解決するために、本願の目的は、防水効果に優れた水中メガネを提供することにある。
【課題を解決するための手段】
【０００６】
水中メガネであって、リムと、リムに封止されて設けられたレンズと、リムの内側に封止されて設けられた弾性防水リングと、両端がそれぞれ弾性防水リングに固定されて連結されたヘッドバンドとを含み、前記弾性防水リングは、リムに固定されて連結された第１連結部と、第１連結部に連結された支持部と、支持部に連結されて人の左眼窩の外側壁にフィットする左眼窩フィット部と、支持部に連結されて人の右眼窩の外側壁にフィットする右眼窩フィット部とを含み、前記ヘッドバンドは、左側が前記左眼窩フィット部に固定されて連結され、右側が前記右眼窩フィット部に固定されて連結されている。
【０００７】
上記の水中メガネ（主に水泳用メガネや潜水用メガネを指す）は、ヘッドバンドの左側が前記左眼窩フィット部に固定されて連結され、右側が前記右眼窩フィット部に固定されて連結されているため、利用者が本構成の水中メガネを装着した後に、ヘッドバンドの左側が左眼窩フィット部に対して人の頭部の左側のこめかみ方向への引っ張り力を付勢し、右側が右眼窩フィット部に対して人の頭部の右側のこめかみ方向への引っ張り力を付勢することで、左眼窩フィット部を人の左眼窩に更にフィットさせ、右眼窩フィット部を人の右眼窩に更にフィットさせるようにし、左眼窩フィット部も人の左眼窩の外側壁から離脱することなく、右眼窩フィット部も人の右眼窩の外側壁から離脱することがないので、防水効果を大幅に向上させている。
【０００８】
更に、左眼窩フィット部がヘッドバンドの左側からの引っ張り力を均一に受けるようにするために、前記左眼窩フィット部に第１補強リブが設けられている。
【０００９】
更に、右眼窩フィット部がヘッドバンドの右側からの引っ張り力を均一に受けるようにするために、前記右眼窩フィット部に第２補強リブが設けられている。
【００１０】
更に、前記第１補強リブは、ヘッドバンドの左側との連結箇所に沿って前記第１連結部に延びる第１補強リブＡ（即ち第１補強リブＡは、左眼窩フィット部のみに設けられてもよく、内側の端部が支持部まで延びてもよく、更に内側の端部が第１連結部までに延びてもよい。）、前記左眼窩フィット部の外周の上側に沿って設けられた第１補強リブＢ、又は、前記左眼窩フィット部の外周の下側に沿って設けられた第１補強リブＣの少なくとも１つを含む。第１補強リブＡは、ヘッドバンドの左側からの左眼窩フィット部への引っ張り力をより均一に左眼窩フィット部の内側へ分散させ、第１補強リブＢは、ヘッドバンドの左側からの左眼窩フィット部への引っ張り力をより均一に左眼窩フィット部の外周の上側へ分散させ、第１補強リブＣは、ヘッドバンドの左側からの左眼窩フィット部への引っ張り力をより均一に左眼窩フィット部の外周の下側へ分散させることができる。
【００１１】
更に、前記第２補強リブは、ヘッドバンドの右側との連結箇所に沿って前記第１連結部に延びる第２補強リブＡ（即ち第２補強リブＡは、右眼窩フィット部のみに設けられてもよく、内側の端部が支持部まで延びてもよく、更に内側の端部が第１連結部までに延びてもよい。）、前記右眼窩フィット部の外周の上側に沿って設けられた第２補強リブＢ、又は、前記右眼窩フィット部の外周の下側に沿って設けられた第２補強リブＣの少なくとも１つを含む。第２補強リブＡは、ヘッドバンドの右側からの右眼窩フィット部への引っ張り力をより均一に右眼窩フィット部の内側へ分散させ、第２補強リブＢは、ヘッドバンドの右側からの右眼窩フィット部への引っ張り力をより均一に右眼窩フィット部の外周の上側へ分散させ、第２補強リブＣは、ヘッドバンドの右側からの右眼窩フィット部への引っ張り力をより均一に右眼窩フィット部の外周の下側へ分散させることができる。
【００１２】
更に、ヘッドバンドの左側と左眼窩フィット部との連結方式及びヘッドバンドの右側と右眼窩フィット部との連結方式は、多様であり、本考案では以下の３種類の連結方式を開示する。
【００１３】
種類１：前記左眼窩フィット部の外壁に左連結具が設けられ、前記右眼窩フィット部の外壁に右連結具が設けられ、前記ヘッドバンドは、左側が左連結具に固定されて連結され、右側が右連結具に固定されて連結されている。
【００１４】
種類２：前記ヘッドバンドは、左側が左眼窩フィット部に粘着され、右側が右眼窩フィット部に粘着されている。
【００１５】
種類３：前記ヘッドバンドは、左側が左眼窩フィット部とは一体式構造（例えば射出による）であり、右側が右眼窩フィット部とは一体式構造（例えば射出による）である。
【００１６】
更に、ヘッドバンドの左側と左眼窩フィット部との連結箇所の位置設定及びヘッドバンドの右側と右眼窩フィット部との連結箇所の位置設定は、多様である。例えば、前記ヘッドバンドは、左側端部が前記左眼窩フィット部の外周の左側に滑らかに連結され、右側端部が前記右眼窩フィット部の外周の右側に滑らかに連結される。又は、前記ヘッドバンドは、左側が前記左眼窩フィット部の外壁に連結され、右側が前記右眼窩フィット部の外壁に連結されている。
【００１７】
更に、前記ヘッドバンドは、左側が前記左眼窩フィット部の外壁に密着し、右側が前記右眼窩フィット部の外壁に密着している。
【００１８】
又は、前記ヘッドバンドは、左側端部が前記左眼窩フィット部の外壁に連結され（即ちヘッドバンドの左側の一部が左眼窩フィット部の上側に位置する。）、右側端部が前記右眼窩フィット部の外壁に密着している（即ちヘッドバンドの右側の一部が右眼窩フィット部の上側に位置する。）。
【００１９】
更に、本考案における水中メガネは、そのレンズとリムとは一体式構造であり、もちろん組み立てられてもよく、レンズが前記リムに封止されて係止されればよい。
【００２０】
更に、前記リムは、一体式構造であり、前記第１連結部、支持部、左眼窩フィット部及び右眼窩フィット部は、一体式構造である。
【００２１】
もちろん、前記リムは、左リムと、第２連結部を介して左リムに連結された右リムとを含む分離式構造であってもよい。
【００２２】
前記第１連結部は、左リムに連結された左第１連結部と、右リムに連結された右第１連結部とを含む。
【００２３】
前記支持部は、左第１連結部と左眼窩フィット部とを連結する左支持部、及び右第１連結部と右眼窩フィット部とを連結する右支持部を含む。
【００２４】
前記左眼窩フィット部、左第１連結部及び左支持部は、一体式構造である。
【００２５】
前記右眼窩フィット部、右第１連結部及び右支持部は、一体式構造である。
【００２６】
以下、図面及び具体的な実施例を通じて本願を更に記載する。
【図面の簡単な説明】
【００２７】
【図１】図１は、本願の実施例１に係る水泳用メガネの構造図その１である。
【図２】図２は、本願の実施例１に係る水泳用メガネの構造図その２である。
【図３】図３は、本願の実施例１に係る水泳用メガネの構造図その３である。
【図４】図４は、本願の実施例４に係る水泳用メガネの構造図である。
【図５】図５は、本願の実施例５に係る水泳用メガネの構造図その１である。
【図６】図６は、本願の実施例５に係る水泳用メガネの構造図その２である。
【図７】図７は、本願の実施例５に係る水泳用メガネの構造図その３である。
【図８】図８は、本願の実施例６に係る水泳用メガネの構造図である。
【図９】図９は、本願の実施例８に係る潜水用メガネの構造図その１である。
【図１０】図１０は、本願の実施例８に係る潜水用メガネの構造図その２である。
【図１１】図１１は、本願の実施例８に係る潜水用メガネの構造図その３である。
【図１２】図１２は、本願の実施例１１に係る潜水用メガネの構造図である。
【考案を実施するための形態】
【００２８】
本願の技術内容をより十分に理解するために、以下、具体的な実施例を通じて本願の技術手段を更に紹介して説明するが、ここでの記載に限られない。
【００２９】
（実施例１）
図１〜図３に示すように、水中メガネは、リム１０ａと、リム１０ａに封止されて係止されているレンズ２０ａと、リム１０ａの内側に封止されて設けられた弾性防水リング３０ａと、両端がそれぞれ弾性防水リング３０ａに連結されたヘッドバンド４０ａとを含む。
【００３０】
前記弾性防水リング３０ａは、リム１０ａに連結された第１連結部３１ａと、第１連結部３１ａに連結された支持部３２ａと、支持部３２ａに連結されて人の左眼窩の外側壁にフィットする左眼窩フィット部３３ａと、支持部３２ａに連結されて人の右眼窩の外側壁にフィットする右眼窩フィット部３４ａとを含む。第１連結部３１ａ、支持部３２ａ、左眼窩フィット部３３ａ及び右眼窩フィット部３４ａは、射出による一体式構造である。
【００３１】
前記ヘッドバンド４０ａは、左側が前記左眼窩フィット部３３ａの外周の左側に連結され（射出により一体成形されてもよく、粘着されてもよい。）、右側が前記右眼窩フィット部３４ａの外周の右側に連結される（射出により一体成形されてもよく、粘着されてもよい。）。もちろん、他の実施例において、前記ヘッドバンド４０ａは、左側が前記左眼窩フィット部３３ａの外壁に連結されてもよく、右側が前記右眼窩フィット部３４ａの外壁に連結されてもよい。
【００３２】
具体的には、前記リム１０ａは、一体式構造であり、前記第１連結部３１ａ、支持部３２ａ、左眼窩フィット部３３ａ及び右眼窩フィット部３４ａは、一体式構造である。
【００３３】
具体的には、前記左眼窩フィット部３３ａに第１補強リブ５０ａが設けられ、前記右眼窩フィット部３４ａに第２補強リブ６０ａが設けられている。
【００３４】
更に具体的には、前記第１補強リブ５０ａは、ヘッドバンド４０ａの左側との連結箇所に沿って前記第１連結部３１ａに延びる第１補強リブＡ５１ａ、前記左眼窩フィット部３３ａの外周の上側に沿って設けられた第１補強リブＢ５２ａ、及び、前記左眼窩フィット部３３ａの外周の下側に沿って設けられた第１補強リブＣ５３ａからなる。
【００３５】
前記第２補強リブ６０ａは、ヘッドバンド４０ａの右側との連結箇所に沿って前記第１連結部３１ａに延びる第２補強リブＡ６１ａ、前記右眼窩フィット部３４ａの外周の上側に沿って設けられた第２補強リブＢ６２ａ、及び、前記右眼窩フィット部３４ａの外周の下側に沿って設けられた第２補強リブＣ６３ａからなる。
【００３６】
つまり、上記の水中メガネは、ヘッドバンドの左側が前記左眼窩フィット部に固定されて連結され、右側が前記右眼窩フィット部に固定されて連結されているため、利用者が本構成の水中メガネを装着した後に、ヘッドバンドの左側が左眼窩フィット部に対して人の頭部の左側のこめかみ方向への引っ張り力を付勢し、右側が右眼窩フィット部に対して人の頭部の右側のこめかみ方向への引っ張り力を付勢することで、左眼窩フィット部を人の左眼窩に更にフィットさせ、右眼窩フィット部を人の右眼窩に更にフィットさせるようにし、左眼窩フィット部も人の左眼窩の外側壁から離脱することがなく、右眼窩フィット部も人の右眼窩の外側壁から離脱することがないので、防水効果を大幅に向上させている。
【００３７】
また、左眼窩フィット部に第１補強リブが設けられ、前記右眼窩フィット部に第２補強リブが設けられ、第１補強リブは、ヘッドバンドの左側との連結箇所に沿って前記第１連結部に延びる第１補強リブＡ、前記左眼窩フィット部の外周の上側に沿って設けられた第１補強リブＢ、及び、前記左眼窩フィット部の外周の下側に沿って設けられた第１補強リブＣからなり、第２補強リブは、ヘッドバンドの右側との連結箇所に沿って前記第１連結部に延びる第２補強リブＡ、前記右眼窩フィット部の外周の上側に沿って設けられた第２補強リブＢ、及び、前記右眼窩フィット部の外周の下側に沿って設けられた第２補強リブＣからなる。
【００３８】
第１補強リブＡは、ヘッドバンドの左側からの左眼窩フィット部への引っ張り力をより均一に左眼窩フィット部の内側へ分散させ、第１補強リブＢは、ヘッドバンドの左側からの左眼窩フィット部への引っ張り力をより均一に左眼窩フィット部の外周の上側へ分散させ、第１補強リブＣは、ヘッドバンドの左側からの左眼窩フィット部への引っ張り力をより均一に左眼窩フィット部の外周の下側へ分散させることができる。
【００３９】
第２補強リブＡは、ヘッドバンドの右側からの右眼窩フィット部への引っ張り力をより均一に右眼窩フィット部の内側へ分散させ、第２補強リブＢは、ヘッドバンドの右側からの右眼窩フィット部への引っ張り力をより均一に右眼窩フィット部の外周の上側へ分散させ、第２補強リブＣは、ヘッドバンドの右側からの右眼窩フィット部への引っ張り力をより均一に右眼窩フィット部の外周の下側へ分散させることができる。
【００４０】
（実施例２）
図１〜図３を参照し、本実施例も水泳用メガネを開示し、その構成が基本的に実施例１における水泳用メガネと同じであり、本実施例における水泳用メガネのほうには、左眼窩フィット部３３ａのみに第１補強リブＡ５１ａを設け、右眼窩フィット部３４ａのみに第２補強リブＡ６１ａを設けた点において相違する。
【００４１】
本実施例は、実施例１と比較し、同じ技術問題を解決することもできる。第１補強リブＢ、第１補強リブＣ、第２補強リブＢ及び第２補強リブＣを設けなかったため、本実施例における水泳用メガネのほうは、弾性防水リングが受けるヘッドバンド４０の引っ張り力の分散効果が実施例１より劣る。
【００４２】
（実施例３）
図１〜図３を参照し、本実施例も水泳用メガネを開示し、その構成が基本的に実施例１における水泳用メガネと同じであり、本実施例における水泳用メガネのほうには、左眼窩フィット部３３ａの外周の上側に第１補強リブＢ５２ａを設け、又は外周の下側に第１補強リブＣ５３ａを設け、右眼窩フィット部３４ａの外周の上側に第２補強リブＢ６２ａを設け、又は外周の下側に第２補強リブＣ６３ａを設けたという点においてのみ相違する。
【００４３】
本実施例は、実施例１と比較し、同じ技術問題を解決することもできる。設けられた第１補強リブのタイプ及び第２補強リブの対応が実施例１より劣るため、本実施例における水泳用メガネのほうは、弾性防水リング３０ａが受けるヘッドバンド４０ａの引っ張り力の分散効果が実施例１より劣る。
【００４４】
（実施例４）
図４に示すように、本実施例も水泳用メガネを開示し、その構成が基本的に実施例１における水泳用メガネと同じであり、本実施例における水泳用メガネのほうには、前記左眼窩フィット部３３ａの外壁に左連結具３５ａ（例えばプールバックル）が設けられ、前記右眼窩フィット部３４ａの外壁に右連結具３６ａ（例えばプールバックル）が設けられ、前記ヘッドバンド４０ａの左側が左連結具３５ａに固定されて接続され、右側が右連結具３６ａに固定されて接続されているという点において相違する。
【００４５】
実施例１に比べ、本実施例は、ヘッドバンドの左右両端部の左眼窩フィット部、右眼窩フィット部のそれぞれとの別の連結方式を提供している。
【００４６】
（実施例５）
図５〜図７に示すように、本実施例も水泳用メガネを開示し、その構成が基本的に実施例１における水泳用メガネと同じであり、本実施例における水泳用メガネにおいて、前記リム１０ｂが左リム１１ｂと、第２連結部１３ｂを介して左リム１１ｂに連結された右リム１２ｂとを含む分離式構造であるという点が相違する。
【００４７】
前記第１連結部３１ｂは、左リム１１ｂに連結された左第１連結部３１１ｂと、右リム１２ｂに連結された右第１連結部３１２ｂとを含む。
【００４８】
前記支持部３２ｂは、左第１連結部３１１ｂと左眼窩フィット部３３ｂとを連結する左支持部３２１ｂ、及び右第１連結部３１２ｂと右眼窩フィット部３４ｂとを連結する右支持部３２２ｂを含む。
【００４９】
前記左眼窩フィット部３３ｂ、左第１連結部３１１ｂ及び左支持部３２１ｂは、一体式構造である。
【００５０】
前記右眼窩フィット部３４ｂ、右第１連結部３１２ｂ及び右支持部３２２ｂは、一体式構造である。
【００５１】
（実施例６）
図８に示すように、本実施例も水泳用メガネを開示し、その構成が基本的に実施例５における水泳用メガネと同じであり、本実施例における水泳用メガネにおいて、前記左眼窩フィット部３３ｂの外壁に左連結具３５ｂ（例えばプールバックル）が設けられ、前記右眼窩フィット部３４ｂの外壁に右連結具３６ｂ（例えばプールバックル）が設けられ、前記ヘッドバンド４０ｂの左側が左連結具３５ｂに固定されて接続され、右側が右連結具３６ｂに固定されて接続されているという点が相違する。
【００５２】
実施例５に比べ、本実施例は、ヘッドバンドの左右両端部の左眼窩フィット部、右眼窩フィット部のそれぞれとの別の連結方式を提供している。
【００５３】
（実施例７）
本実施例も水泳用メガネを開示し、その構成が基本的に実施例５における水泳用メガネと同じであり、本実施例における水泳用メガネにおいて、前記レンズとリムとが一体式構造であるという点が相違する。
【００５４】
（実施例８）
図９〜図１１に示すように、本実施例は、潜水用メガネを開示し、リム１０ｃと、リム１０ｃに封止されて係止されているレンズ２０ｃと、リム１０ｃの内側に封止されて設けられた弾性防水リング３０ｃと、両端がそれぞれ弾性防水リング３０ｃに連結されたヘッドバンド４０ｃとを含む。
【００５５】
前記弾性防水リング３０ｃは、リム１０ｃに連結された第１連結部３１ｃと、第１連結部３１ｃに連結された支持部３２ｃと、支持部３２ｃに連結されて人の左眼窩の外側壁にフィットする左眼窩フィット部３３ｃと、支持部３２ｃに連結されて人の右眼窩の外側壁にフィットする右眼窩フィット部３４ｃとを含む。第１連結部３１ｃ、支持部３２ｃ、左眼窩フィット部３３ｃ及び右眼窩フィット部３４ｃは、射出による一体式構造である。
【００５６】
前記ヘッドバンド４０ｃは、左側が前記左眼窩フィット部３３ｃの外周の左側に連結され（射出により一体成形されてもよく、粘着されてもよい。）、右側が前記右眼窩フィット部３４ｃの外周の右側に連結される（射出により一体成形されてもよく、粘着されてもよい。）。もちろん、他の実施例において、前記ヘッドバンド４０ｃは、左側が前記左眼窩フィット部３３ｃの外壁に連結されてもよく、右側が前記右眼窩フィット部３４ｃの外壁に連結されてもよい。
【００５７】
具体的には、前記リム１０ｃは、一体式構造であり、前記第１連結部３１ｃ、支持部３２ｃ、左眼窩フィット部３３ｃ及び右眼窩フィット部３４ｃは、一体式構造である。
【００５８】
具体的には、前記左眼窩フィット部３３ｃに第１補強リブ５０ｃが設けられ、前記右眼窩フィット部３４ｃに第２補強リブ６０ｃが設けられている。
【００５９】
更に具体的には、前記第１補強リブ５０ｃは、ヘッドバンド４０ｃの左側との連結箇所に沿って前記第１連結部３１ｃに延びる第１補強リブＡ５１ｃ、前記左眼窩フィット部３３ｃの外周の上側に沿って設けられた第１補強リブＢ５２ｃ、及び、前記左眼窩フィット部３３ｃの外周の下側に沿って設けられた第１補強リブＣ５３ｃからなる。
【００６０】
前記第２補強リブ６０ｃは、ヘッドバンド４０ｃの右側との連結箇所に沿って前記第１連結部３１ｃに延びる第２補強リブＡ６１ｃ、前記右眼窩フィット部３４ｃの外周の上側に沿って設けられた第２補強リブＢ６２ｃ、及び、前記右眼窩フィット部３４ｃの外周の下側に沿って設けられた第２補強リブＣ６３ｃからなる。
【００６１】
つまり、上記の潜水用メガネは、ヘッドバンドの左側が前記左眼窩フィット部に固定されて連結され、右側が前記右眼窩フィット部に固定されて連結されているため、利用者が本構成の水中メガネを装着した後に、ヘッドバンドの左側が左眼窩フィット部に対して人の頭部の左側のこめかみ方向への引っ張り力を付勢し、右側が右眼窩フィット部に対して人の頭部の右側のこめかみ方向への引っ張り力を付勢することで、左眼窩フィット部を人の左眼窩に更にフィットさせ、右眼窩フィット部を人の右眼窩に更にフィットさせるようにし、左眼窩フィット部も人の左眼窩の外側壁から離脱することがなく、右眼窩フィット部も人の右眼窩の外側壁から離脱することがないので、防水効果を大幅に向上させている。
【００６２】
また、前記左眼窩フィット部に第１補強リブが設けられ、前記右眼窩フィット部に第２補強リブが設けられ、第１補強リブは、ヘッドバンドの左側との連結箇所に沿って前記第１連結部に延びる第１補強リブＡ、前記左眼窩フィット部の外周の上側に沿って設けられた第１補強リブＢ、及び、前記左眼窩フィット部の外周の下側に沿って設けられた第１補強リブＣからなり、第２補強リブは、ヘッドバンドの右側との連結箇所に沿って前記第１連結部に延びる第２補強リブＡ、前記右眼窩フィット部の外周の上側に沿って設けられた第２補強リブＢ、及び、前記右眼窩フィット部の外周の下側に沿って設けられた第２補強リブＣからなる。
【００６３】
第１補強リブＡは、ヘッドバンドの左側からの左眼窩フィット部への引っ張り力をより均一に左眼窩フィット部の内側へ分散させ、第１補強リブＢは、ヘッドバンドの左側からの左眼窩フィット部への引っ張り力をより均一に左眼窩フィット部の外周の上側へ分散させ、第１補強リブＣは、ヘッドバンドの左側からの左眼窩フィット部への引っ張り力をより均一に左眼窩フィット部の外周の下側へ分散させることができる。
【００６４】
第２補強リブＡは、ヘッドバンドの右側からの右眼窩フィット部への引っ張り力をより均一に右眼窩フィット部の内側へ分散させ、第２補強リブＢは、ヘッドバンドの右側からの右眼窩フィット部への引っ張り力をより均一に右眼窩フィット部の外周の上側へ分散させ、第２補強リブＣは、ヘッドバンドの右側からの右眼窩フィット部への引っ張り力をより均一に右眼窩フィット部の外周の下側へ分散させることができる。
【００６５】
（実施例９）
図９〜図１１を参照し、本実施例も潜水用メガネを開示し、その構成が基本的に実施例８における潜水用メガネと同じであり、本実施例における潜水用メガネにおいて、左眼窩フィット部３３ｃのみに第１補強リブＡ５１ｃを設け、右眼窩フィット部３４ｃのみに第２補強リブＡ６１ｃを設けた点が相違する。
【００６６】
本実施例は、実施例８と比較し、同じ技術問題を解決することもできる。第１補強リブＢ、第１補強リブＣ、第２補強リブＢ及び第２補強リブＣを設けなかったため、本実施例における潜水用メガネのほうは、弾性防水リングが受けるヘッドバンド４０の引っ張り力の分散効果が実施例８より劣る。
【００６７】
（実施例１０）
図９〜図１１を参照し、本実施例も潜水用メガネを開示し、その構成が基本的に実施例８における潜水用メガネと同じであり、本実施例における潜水用メガネにおいて、左眼窩フィット部３３ｃの外周の上側に第１補強リブＢ５２ｃを設け、又は外周の下側に第１補強リブＣ５３ｃを設け、右眼窩フィット部３４ｃの外周の上側に第２補強リブＢ６２ｃを設け、又は外周の下側に第２補強リブＣ６３ｃを設けたという点のみ相違する。
【００６８】
本実施例は、実施例８と比較し、同じ技術問題を解決することもできる。設けられた第１補強リブのタイプ及び第２補強リブの対応が実施例８より劣るため、本実施例における潜水用メガネのほうは、弾性防水リング３０ｃが受けるヘッドバンド４０ｃの引っ張り力の分散効果が実施例８より劣る。
【００６９】
（実施例１１）
図１２に示すように、本実施例も潜水用メガネを開示し、その構成が基本的に実施例８における潜水用メガネと同じであり、本実施例における潜水用メガネにおいて、前記左眼窩フィット部３３ｃの外壁に左連結具３５ｃ（例えばプールバックル）が設けられ、前記右眼窩フィット部３４ｃの外壁に右連結具３６ｃ（例えばプールバックル）が設けられ、前記ヘッドバンド４０ｃの左側が左連結具３５ｃに固定されて接続され、右側が右連結具３６ｃに固定されて接続されているという点が相違する。
【００７０】
実施例８に比べ、本実施例は、ヘッドバンドの左右両端部の左眼窩フィット部、右眼窩フィット部のそれぞれとの別の連結方式を提供している。
【００７１】
上記に、単に、分かりやすくするために、実施例をもって本願の技術内容を更に説明したが、本願の実施形態がそれに限られるというわけではなく、本願を依拠として為した技術的な拡張や再度の創造はいずれも本願によって保護される。本願の保護範囲は、実用新案登録請求の範囲を基準とする。
【図１】
0003235549.tif 000003
【図２】
0003235549.tif 000004
【図３】
0003235549.tif 000005
【図４】
0003235549.tif 000006
【図５】
0003235549.tif 000007
【図６】
0003235549.tif 000008
【図７】
0003235549.tif 000009
【図８】
0003235549.tif 000010
【図９】
0003235549.tif 000011
【図１０】
0003235549.tif 000012
【図１１】
0003235549.tif 000013
【図１２】
0003235549.tif 000014